(57)【要約】【課題】  ユーザの属性に合った文字列の変換結果をえることのできる通信装置、通信システムおよび文字列変換方法を提供することを目的とする。【解決手段】  キーボード１０２から変換対象となる文字の入力を受け付け、受け付けられた文字を、出入力処理部１０３は、ユーザ属性を特定可能なユーザ情報であるユーザＩＤとともに、認証サーバ２００を介して変換サーバ３００に送信する。その後、出入力処理部１０３は、変換サーバ３００から変換後の文字列を受信し、ディスプレイ１０１は、受信された文字列を変換された文字列として変換候補として表示して処理する。これにより、ユーザの属性ごとに用意された辞書データを利用して変換処理を行うことができ、適切な変換処理を可能にする。【選択図】  図２
2011215911.tif 000002
【特許請求の範囲】
【請求項１】
変換処理のための辞書データをユーザの属性ごとに記憶し、ユーザの属性に応じた辞書データを用いて文字列の変換処理を行う変換サーバおよびユーザ属性をユーザごとに記憶する認証サーバと接続する通信装置において、
変換対象となる文字列の入力を受け付ける受付手段と、
前記受付手段により受け付けられた文字列およびユーザ属性を特定可能にするユーザ情報を、前記認証サーバを介して前記変換サーバに送信する送信手段と、
前記変換サーバから変換後の文字列を受信する受信手段と、
前記受信手段により受信された文字列を変換された文字列として処理する処理手段と、
を備える通信装置。
【請求項２】
前記変換サーバは、仮名漢字変換用の辞書データおよび関連語変換用の辞書データを区別して備えており、
前記送信手段は、関連語変換用の辞書データを利用した関連誤変換モードか、仮名漢字変換用の辞書データを利用した仮名漢字変換モードかのいずれかを示すモード情報を、文字列とともに前記変換サーバに送信し、
前記変換サーバは、モード情報を受信すると、いずれかモード情報に対応した辞書データを選択し、当該辞書データに基づいた変換処理を行うことを特徴とする請求項１に記載の通信装置。
【請求項３】
前記処理手段は、前記受信手段により受信された複数の文字列を、変換候補として、ユーザにより選択可能に表示することを特徴とする請求項１または２に記載の通信装置。
【請求項４】
通信装置と、認証サーバと、変換サーバとを含んだ通信システムにおいて、
前記通信装置は、
変換対象となる文字列の入力を受け付ける受付手段と、
前記受付手段により受け付けられた文字列を、ユーザ属性を特定可能なユーザ情報とともに前記認証サーバに送信する送信手段と、
前記変換サーバから変換後の文字列を受信する受信手段と、
前記受信手段により受信された文字列を変換された文字列として処理する処理手段と、を備え、
前記認証サーバは、
ユーザ情報としてユーザ属性を記憶する属性記憶手段と、
前記送信手段から送信されたユーザ情報および前記属性記憶手段に記憶されている情報に基づいてユーザ属性を抽出して、前記変換サーバに通知する通知手段と、を備え、
前記変換サーバは、
変換処理のための辞書データをユーザ属性ごとに区別して記憶する記憶手段と、
前記認証サーバから送信された文字列およびユーザ属性を受信する受信手段と、
前記受信手段により受信された文字列を、前記記憶手段に記憶された辞書データを用いて文字列の変換処理を行う変換手段と、
前記変換手段により変換された変換後の文字列を前記通信装置に送信する送信手段と、
を備える通信システム。
【請求項５】
変換処理のための辞書データをユーザの属性ごとに記憶し、ユーザの属性に応じた辞書データを用いて文字列の変換処理を行う変換サーバおよびユーザ属性をユーザごとに記憶する認証サーバと接続する通信装置の文字列変換方法において、
変換対象となる文字列の入力を受け付ける受付ステップと、
前記受付ステップにより受け付けられた文字列およびユーザ属性を特定可能にするユーザ情報を、前記認証サーバを介して前記変換サーバに送信する送信ステップと、
前記変換サーバから変換後の文字列を受信する受信ステップと、
前記受信手段により受信された文字列を変換された文字列として処理する処理ステップと、
を備える文字列変換方法。
【発明の詳細な説明】
【技術分野】
【０００１】
本発明は、仮名漢字変換などの文字列の変換処理を行う通信装置、通信システムおよび文字列変換方法に関するものである。
【背景技術】
【０００２】
ワードプロセッサにおいては、仮名漢字変換機能により入力した平仮名を漢字に変換することが行われている。従来においては、一般的には内蔵する辞書データを利用して仮名漢字変換を行っている。さらに、単なる変換処理にとどまらず、今までの変換履歴に基づいた予測変換候補を、内臓辞書データを利用してユーザに選択させることで、適切な仮名漢字変換を実現することができる。
【０００３】
また、関連する技術として、検索エンジンにおいて入力した文字列に基づいて予測変換候補を、ブラウザ上に表示させるものも考えられている。
【０００４】
さらに、入力した文字列を、ネットワークを介して存在するサーバにおいて変換して、その結果を端末側で受けることができる技術が、特許文献１に記載されている。
【先行技術文献】
【特許文献】
【０００５】
【特許文献１】特開平１１−３３２９号公報
【発明の概要】
【発明が解決しようとする課題】
【０００６】
しかしながら、インターネットなどネットワーク上に配置されている仮名漢字変換用の辞書データは、汎用的なものであり、個人の属性等に対応してカスタマイズされたものではない。
【０００７】
したがって、どのような属性のユーザが使用しても同じ変換結果しか得ることができず、その操作性に問題があった。例えば、性別により、文章の語尾等は異なることが一般であるが、従来の技術においては、誰が入力した文字列であっても、同じような変換結果しか得ることができない。
【０００８】
そこで、本発明においては、ユーザの属性に合った文字列の変換結果をえることのできる通信装置、通信システムおよび文字列変換方法を提供することを目的とする。
【課題を解決するための手段】
【０００９】
上述の課題を解決するために、本発明の通信装置は、変換処理のための辞書データをユーザの属性ごとに記憶し、ユーザの属性に応じた辞書データを用いて文字列の変換処理を行う変換サーバおよびユーザ属性をユーザごとに記憶する認証サーバと接続する通信装置において、変換対象となる文字列の入力を受け付ける受付手段と、前記受付手段により受け付けられた文字列およびユーザ属性を特定可能にするユーザ情報を、前記認証サーバを介して前記変換サーバに送信する送信手段と、前記変換サーバから変換後の文字列を受信する受信手段と、前記受信手段により受信された文字列を変換された文字列として処理する処理手段と、を備えている。
【００１０】
この発明によれば、変換対象となる文字列の入力を受け付け、受け付けられた文字列を、ユーザ属性を特定可能なユーザ情報とともに変換サーバに送信する。その後、変換サーバから変換後の文字列を受信し、受信された文字列を変換された文字列として処理する。これにより、ユーザの属性ごとに用意された辞書データを利用して変換処理を行うことができ、適切な変換処理を可能にする。
【００１１】
また、本発明の通信装置において、前記変換サーバは、仮名漢字変換用の辞書データおよび関連語変換用の辞書データを区別して備えており、前記送信手段は、関連語変換用の辞書データを利用した関連誤変換モードか、仮名漢字変換用の辞書データを利用した仮名漢字変換モードかのいずれかを示すモード情報を、文字列とともに前記変換サーバに送信し、前記変換サーバは、モード情報を受信すると、いずれかモード情報に対応した辞書データを選択し、当該辞書データに基づいた変換処理を行うことが好ましい。
【００１２】
この発明によれば、関連語変換用の辞書データを利用した関連語変換モードか、仮名漢字変換用の辞書データを利用した仮名漢字変換モードかのいずれかを示すモード情報を、文字列とともに前記変換サーバに送信し、変換サーバにおいては、いずれかモード情報に対応した辞書データを選択し、当該辞書データに基づいた変換処理を行うことができる。これにより、仮名漢字変換を行うか、関連語変換を行うか、いずれかを行うことができ、使い勝手のよい変換処理を実現することができる。
【００１３】
また、本発明の通信装置において、前記処理手段は、前記受信手段により受信された複数の文字列を、変換候補として、ユーザにより選択可能に表示することが好ましい。
【００１４】
この発明によれば、受信された複数の文字列を、変換候補として、ユーザにより選択可能に表示することで、ユーザ所望の文字列に変換することができ、使い勝手のよい装置を実現することができる。
【００１５】
また、本発明の通信システムは、通信装置と、認証サーバと、変換サーバとを含んだ通信システムにおいて、前記通信装置は、変換対象となる文字列の入力を受け付ける受付手段と、前記受付手段により受け付けられた文字列を、ユーザ属性を特定可能なユーザ情報とともに前記認証サーバに送信する送信手段と、前記変換サーバから変換後の文字列を受信する受信手段と、前記受信手段により受信された文字列を変換された文字列として処理する処理手段と、を備え、前記認証サーバは、ユーザ情報としてユーザ属性を記憶する属性記憶手段と、前記送信手段から送信されたユーザ情報および前記属性記憶手段に記憶されている情報に基づいてユーザ属性を抽出して、前記変換サーバに通知する通知手段と、を備え、前記変換サーバは、変換処理のための辞書データをユーザ属性ごとに区別して記憶する記憶手段と、前記認証サーバから送信された文字列およびユーザ属性を受信する受信手段と、前記受信手段により受信された文字列を、前記記憶手段に記憶された辞書データを用いて文字列の変換処理を行う変換手段と、前記変換手段により変換された変換後の文字列を前記通信装置に送信する送信手段と、を備えている。
【発明の効果】
【００１６】
本発明によれば、ユーザの属性ごとに用意された辞書データを利用して変換処理を行うことができ、適切な変換処理を可能にする。
【図面の簡単な説明】
【００１７】
【図１】本実施形態の通信装置１００を含んだ通信システム１０のシステム構成を示すシステム構成図である。
【図２】通信装置１００、認証サーバ２００、および変換サーバ３００の機能を示すブロック図である。
【図３】（ａ）は、予測仮名漢字変換部３０２による変換処理を示した説明図であり、（ｂ）は、関連語検索部３０３による変換処理を示した説明図である。
【図４】通信システム１０の次の候補要求処理を示すシーケンス図である。
【図５】通信システム１０の確定処理を示すシーケンス図である。
【図６】通信装置１００において文字入力の具体的処理を示すフローチャートである。
【図７】通信装置１００における候補選択、取り消し等の処理を示すフローチャートである。
【発明を実施するための形態】
【００１８】
本発明の実施形態に係る通信装置および文字列変換方法について、図面を参照して説明する。なお、説明において、同一要素又は同一機能を有する要素には同一符号を用いることとし、重複する説明は省略する。
【００１９】
図１は、本実施形態の通信装置１００を含んだ通信システム１０のシステム構成を示すシステム構成図である。図１に示されるとおり、この通信システム１０は、通信装置１００、認証サーバ２００、および変換サーバ３００を含んで構成されている。この通信システム１０においては、通信装置１００において入力された文字データは、通信装置１００のユーザＩＤとともに、認証サーバ２００に送信され、認証サーバ２００においては、適正なユーザからのものであるとの認証処理を行った後、変換サーバ３００に対して文字データの変換依頼が行われる。変換サーバ３００において、変換候補が選択され、その変換候補が認証サーバ２００を経て、通信装置１００に送信される。
【００２０】
つぎに、通信システム１０を構成する通信装置１００、認証サーバ２００、および変換サーバ３００の機能構成について説明する。図２は、通信装置１００、認証サーバ２００、および変換サーバ３００の機能を示すブロック図である。
【００２１】
通信装置１００は、ディスプレイ１０１（処理手段）、キーボード１０２（受付手段）、および出入力処理部１０３（送信手段、受信手段）を含んで構成されている。
【００２２】
ディスプレイ１０１は、各種情報を表示する部分であり、例えば、メールの閲覧画面、メール文章の作成などをする際に入力される文字データを表示する部分である。
【００２３】
キーボード１０２は、ユーザにより操作され、文字データの入力を受け付ける部分である。
【００２４】
出入力処理部１０３は、各種情報（例えばユーザＩＤ、電話番号など）を記憶し、また各種処理を行う部分であり、例えば、電子メールの作成、送受信、閲覧などの処理を行うためのアプリケーションや、Ｗｅｂブラウザを記憶し、電子メール、Ｗｅｂブラウザを用いた通信処理、検索処理等の各種処理を実行する部分である。例えば、電子メールを作成する際に、キーボード１０２において受け付けられた文字データに対する変換指示を受け付けると、その文字データおよびユーザＩＤを認証サーバ２００に送信する。
【００２５】
つぎに、認証サーバ２００について説明する。認証サーバ２００は、認証部２０１（属性記憶手段）、データ送信部２０２（通知手段）、およびデータ受信部２０３を含んで構成されている。
【００２６】
認証部２０１は、通信装置１００から送信されたユーザＩＤに対する認証処理を行う部分である。すなわち、予め登録された加入者情報に基づいて通信装置１００が、通信事業者の正当な加入者であるか否かを判断する部分である。また、認証部２０１は、ユーザＩＤに基づいた認証処理を行うとともに、そのユーザＩＤに基づいて、ユーザ属性を示す属性データを抽出する。例えば、ユーザの属性として、性別、年齢、趣味、嗜好等が挙げられる。
【００２７】
データ送信部２０２は、認証部２０１において認証された結果、正当な通信装置１００からの通信であることが判断されると、通信装置１００から送信された文字データおよび属性データを変換サーバ３００に送信する。なお、このデータ送信部２０２は、変換サーバ３００に対して文字データの送信することにとどまらず、通信装置１００から電子メールの送信、Ｗｅｂブラウザによる検索などの各種指示があると、メールサーバに接続してメールを転送したり、インターネットに接続したりする機能をも有する。
【００２８】
データ受信部２０３は、変換サーバ３００から送信された変換候補リストを受信する部分である。データ受信部２０３は、受信した変換候補リストを、認証部２０１を介して、その返還要求を行った通信装置１００に送信する。
【００２９】
つぎに、変換サーバ３００について説明する。この変換サーバ３００は、入力データ記憶部３０１、予測仮名漢字変換部３０２（変換手段）、辞書データ３０２ａ（記憶手段）、関連語検索部３０３（変換手段）、辞書データ３０３ａ（記憶手段）、および出力データ記憶部３０４（送信手段）を含んで構成されている。
【００３０】
入力データ記憶部３０１は、認証サーバ２００から送信された、通信装置１００において入力された文字データおよび属性データを受信し、ユーザＩＤごとに一時記憶する部分である。
【００３１】
また、通信装置１００から変換の確定または変換処理・検索処理の取り消しがなされると、その旨が変換サーバ３００に送信され、入力データ記憶部３０１に記憶されている、変換のためのまたは関連語検索のための文字データが消去される。
【００３２】
予測仮名漢字変換部３０２は、辞書データ３０２ａを用いて入力された文字データを変換して、複数の変換候補を抽出する部分である。具体的には、予測仮名漢字変換部３０２は、入力された文字データとして平仮名、カタカナまたはローマ字が入力されると、それに対応した漢字および当該漢字に加えてその後入力されると予測される文字（平仮名、カタカナ、または漢字）からなる変換候補を抽出する部分である。
【００３３】
その具体例を、図３を用いて説明する。図３（ａ）は、予測仮名漢字変換部３０２による変換処理を示した説明図である。図に示すとおり、“けいたい”と入力されると、“携帯”と通常の漢字変換されるほかに、“携帯電話”、“携帯電話会社”など、その後に入力されることが予測される文字が変換候補として抽出される。
【００３４】
辞書データ３０２ａは、予測変換用の辞書データである。この辞書データ３０２ａは、ユーザ属性ごとに区別して複数備えられている。そして、この辞書データ３０２ａは、各ユーザにおける変換確定操作に従って随時更新されるものであり、ユーザ属性に応じた適切な変換を可能にしている。
【００３５】
関連語検索部３０３は、辞書データ３０３ａを用いて入力された文字データを検索して、複数の変換候補を抽出する部分である。具体的には、関連語検索部３０３は、入力された文字データとして平仮名、カタカナ、またはローマ字若しくは漢字が入力されると、その文字データに関連する関連語を辞書データ３０３ａに基づいて検索し、抽出する。
【００３６】
その具体例を、図３（ｂ）を用いて説明する。図３（ｂ）は、関連語検索部３０３による変換処理を示した説明図である。図に示されるとおり、“けいたい”と入力されると、“携帯電話”、“新機種”、“スマートフォン”など、携帯に関連する関連語が辞書データ３０３ａに基づいて抽出される。
【００３７】
図２にもどり、引き続き説明をする。辞書データ３０３ａは、関連語の検索のための辞書データであり、文字列と、関連語とを対応付けて記憶している。この辞書データ３０３ａは、ユーザ属性ごとに区別して複数備えられている。そして、この辞書データ３０３ａは、各ユーザにおける変換確定操作に従って随時更新されるものであり、ユーザ属性に応じた適切な変換を可能にしている。
【００３８】
出力データ記憶部３０４は、予測仮名漢字変換部３０２または関連語検索部３０３により抽出された変換候補・検索候補となる文字データをユーザＩＤごとに一時記憶し、全候補のうち一部の変換候補・検索候補を通信装置１００に送信する部分である。この出力データ記憶部３０４は、全変換候補を選択頻度等に基づいて所定の序列をつけて記憶しており、通信装置１００からの要求に応じて、その序列に従って順次送信する。
【００３９】
また、出力データ記憶部３０４は、通信装置１００から変換候補の要求を受けると、出力データ記憶部３０４にユーザＩＤごとに記憶されている変換候補のうち、すでに送信された変換候補の次に配列されている変換候補を送信する。
【００４０】
また、出力データ記憶部３０４は、通信装置１００から変換の確定または変換処理・検索処理の取り消しがなされると、その旨が変換サーバ３００に送信され、出力データ記憶部３０４にユーザＩＤごとに記憶されている変換候補・検索候補の全データが消去される。
【００４１】
つぎに、このようにして構成された通信システム１０の処理について説明する。図４は、通信システム１０の次の候補を要求した場合の処理を示すシーケンス図である。
【００４２】
まず、通信装置１００において、キーボード１０２から文字が入力され（Ｓ１０１）、入力された文字データは、ユーザＩＤとともに認証サーバ２００に送信される（Ｓ１０２）。
【００４３】
認証サーバ２００において、認証部２０１により、ユーザＩＤの認証処理が行われ、そのユーザＩＤに基づいた属性データの抽出が行われる（Ｓ１０３）。その認証が正しく行われると、入力された文字データは、ユーザＩＤおよび当該ユーザＩＤに基づいて抽出された属性データとともに、データ送信部２０２により変換サーバ３００に送信される（Ｓ１０３）。
【００４４】
変換サーバ３００においては、予測仮名漢字変換部３０２または関連語検索部３０３により、入力された文字データは辞書データを用いて変換され、変換候補が抽出される（Ｓ１０５）。抽出された変換候補は、出力データ記憶部３０４のそのユーザＩＤに対応した記憶領域に一時的に記憶される（Ｓ１０５）。
【００４５】
変換サーバ３００においては、出力データ記憶部３０４に記憶されている複数の変換候補のうち一部の上位Ｘ番目までの変換候補は、出力データ記憶部３０４により、認証サーバ２００に送信される（Ｓ１０６）。
【００４６】
認証サーバ２００においては、送信された変換候補を受信すると、変換要求のあった通信装置１００を特定し（Ｓ１０７）、その通信装置１００宛に、上位Ｘ番目までの変換候補は、データ受信部２０３により送信される（Ｓ１０８）。
【００４７】
通信装置１００においては、変換候補が受信されると、受信した変換候補は、ディスプレイ１０１に表示される（Ｓ１０９）。ユーザは、それら候補を見ることで、任意の操作を行うことができる。例えば、次の変換候補の要求を行うか、任意の一つを選択して、変換確定を行うか、または、変換自体の取り消しを行うか、いずれかを選択することができる。
【００４８】
ここで、“次の変換候補”の要求がキーボード１０２により受け付けられ、そして、出入力処理部１０３により、その要求処理が行われると（Ｓ１０９）、その要求信号は認証サーバ２００を経て、変換サーバ３００に送信される（Ｓ１１０、Ｓ１１１））。
【００４９】
変換サーバ３００において、この要求信号が出力データ記憶部３０４により受信されると、全変換候補のうち、次の変換候補に該当する変換候補が抽出され、そして、出力データ記憶部３０４により、認証サーバ２００を経て、通信装置１００に送信される（Ｓ１１２、Ｓ１１３）。
【００５０】
なお、Ｓ１０１において、文字の入力とともに、変換モードの指示が行われると、その変換モードを示すモード情報は、認証サーバ２００を経て、変換サーバ３００に送信され、そして、そのモード上方に従って、予測仮名漢字変換部３０２が動作するか、関連語検索部３０３が動作するかが決定され、そして、決定され予測仮名漢字変換部３０２または関連語検索部３０３のいずれかによる変換処理、検索処理が行われる。関連語検索部３０３が動作するモードが選択された場合においては、上述の変換候補を抽出、表示等する処理は、検索候補の抽出、表示等することになる。
つぎに、候補の確定を行うときの処理について説明する。図５は、通信システム１０の確定処理をした場合のシーケンス図である。処理Ｓ１０１からＳ１１０は、図４における処理と同じである。図５において、通信装置１００において、“確定”操作がキーボード１０２により受け付けられると、出入力処理部１０３により、その確定の旨の通知信号は認証サーバ２００を経て、変換サーバ３００に送信される（Ｓ１１０ａ、Ｓ１１１ａ））。
変換サーバ３００において、この通知信号が出力データ記憶部３０４により受信されると、出力データ記憶部３０４に記憶されている全変換候補の削除がなされる。
【００５１】
つぎに、Ｓ１０１における、文字入力の仕方について説明する。図６は、通信装置１００において文字入力（図４のＳ１０１）の具体的処理を示すフローチャートである。
【００５２】
まず、通信装置１００において、キーボード１０２により変換モードの入力が行われる（Ｓ２０１）。そして、出入力処理部１０３により変換モードが判断される（Ｓ２０２）。ここで、予測変換モードであると判断されると、予測変換モードの切り換えられる（Ｓ２０２）。また、関連語検索モードであると判断されると、関連語検索モードに切り換えられる（Ｓ２０３）。そして、そのように切り換えられたモードで、文字入力が行われ（Ｓ２０４）、キーボード１０２における変換キーが押下されると（Ｓ２０５）、そのモード情報、入力された文字データ、および通信装置１００のユーザＩＤが認証サーバに送信される（図４のＳ１０２）。このようにして、変換モードの設定、文字データの入力が行われる。なお、上述においては、ユーザが変換モードの指定を行っているが、これに限定するものではなく、予め設定したモードのモード情報を変換サーバ３００に送信するようにしてもよい。
【００５３】
つぎに、変換サーバ３００から変換候補が送信された場合の通信装置１００における候補選択、取り消し等の処理について説明する。図７は、通信装置１００における候補選択、取り消し等の処理を示すフローチャートである。
【００５４】
出入力処理部１０３により、変換候補が受信されると（Ｓ３０１）、その候補がディスプレイ１０１に表示される（Ｓ３０２）。このとき、その候補を表示するとともにとともに、変換確定、次の候補、変換取り消しをユーザにより選択可能に表示することができる（図３参照）。そして、ユーザがキーボード１０２を操作することにより“確定”が選択されると、確定の旨を示す通知信号がユーザＩＤとともに認証サーバ２００を介して、変換サーバ３００に送信される。変換サーバ３００においては、この通知信号を受信することで、ユーザＩＤごとに一時的に記憶していた文字列や、変換候補を削除する。
【００５５】
また、“次候補”が選択されると、次の変換候補の要求信号がユーザＩＤとともに認証サーバ２００を介して、変換サーバ３００に送信される。変換サーバ３００においては、要求信号の受信に応じて、ユーザＩＤとともに一時的に記憶している全変換候補のうち、次の変換候補を読み出し、送信する。
【００５６】
また、“取消”が選択されると、取消の旨を示す通知信号がユーザＩＤとともに認証サーバ２００を介して、変換サーバ３００に送信される。変換サーバ３００においては、この通知信号を受信することで、ユーザＩＤとともに一時的に記憶していた文字列や、変換候補を削除する。
【００５７】
なお、上述の変換候補と記載された処理については、関連語検索部３０３が動作する場合においては、検索候補と読み換えた処理が行われる。
【００５８】
つぎに、通信装置１００および通信システム１０の作用効果について説明する。
【００５９】
本実施形態の通信装置１００において、キーボード１０２から変換対象となる文字の入力を受け付け、受け付けられた文字を、出入力処理部１０３は、ユーザ属性を特定可能なユーザ情報であるユーザＩＤとともに、認証サーバ２００を介して変換サーバ３００に送信する。その後、出入力処理部１０３は、変換サーバ３００から変換後の文字列を受信し、ディスプレイ１０１は、受信された文字列を変換された文字列として変換候補として表示して処理する。これにより、ユーザの属性ごとに用意された辞書データを利用して変換処理を行うことができ、適切な変換処理を可能にする。特に、ネットワーク上にある変換サーバに辞書データを有していることで、この変換サーバは、同じ属性のユーザの変換傾向を取得することができ、ユーザの属性単位での変換処理を行うことができ、より適切な変換処理を行うことができる。なお、属性単位ごとに加えて、個人単位、すなわちユーザＩＤ単位での辞書データを有してもよく、その場合は、ユーザごとに適切な変換処理を実現できる。
【００６０】
また、本実施形態の通信装置１００において、出入力処理部１０３は、変換サーバ３００における関連語変換用の辞書データ３０３ａを利用した関連語変換モードか、または変換サーバ３００における仮名漢字変換用の辞書データ３０２ａを利用した仮名漢字変換モードかのいずれかを示すモード情報を、文字列とともに変換サーバ３００に送信する。変換サーバ３００においては、入力データ記憶部３０１が、いずれかモード情報に対応した辞書データ３０３ａまたは辞書データ３０２ａを選択し、予測仮名漢字変換部３０２または関連語検索部３０３のいずれかが、当該辞書データに基づいた変換処理を行うことができる。これにより、仮名漢字変換を行うか、関連語変換を行うか、いずれかを行うことができ、使い勝手のよい変換処理を実現することができる。
【符号の説明】
【００６１】
１０…通信システム、１００…通信装置、１０１…ディスプレイ、１０２…キーボード、１０３…出入力処理部、２００…認証サーバ、２０１…認証部、２０２…データ送信部、２０３…データ受信部、３００…変換サーバ、３０１…入力データ記憶部、３０２…予測仮名漢字変換部、３０２ａ…辞書データ、３０３…関連語検索部、３０３ａ…辞書データ、３０４…出力データ記憶部。
【図１】
2011215911.tif 000003
【図２】
2011215911.tif 000004
【図３】
2011215911.tif 000005
【図４】
2011215911.tif 000006
【図５】
2011215911.tif 000007
【図６】
2011215911.tif 000008
【図７】
2011215911.tif 000009